(57)【要約】【課題】設置場所において簡単に外観意匠を変更することができる照明器具を提供する。【解決手段】照明器具１００は、ベース体１０１を備えている。ベース体１０１は、一方が開口するとともに他方が略球面形に外径が窄んだ円筒状に形成されており、内部に光源支持部１０３を備えている。光源支持部１０３は、発光する光源体１０４を着脱自在に保持している。光源体１０４の周囲には、第１装飾体１１１、第２装飾体１１２、光源カバー体１１３および内側カバー体１１４が設けられている。第１装飾体１１１は、光源体１０４の上方を覆う笠状に形成されている。第２装飾体１１２は、第１装飾体１１１よりも小さな笠状に形成されている。これらの第１装飾体１１１および第２装飾体１１２は、これらを貫通する棒状の装飾体取付具１０５によってベース体１１０に対して着脱自在に取り付けられている。【選択図】  図１
2017224506.tif 000002
【特許請求の範囲】
【請求項１】
光源体を有するベース体と、
前記光源体の周囲に配置される第１装飾体と、
前記第１装飾体とは異なる形状に形成されて同第１装飾体の近傍に配置される第２装飾体と、
前記第１装飾体および前記第２装飾体を前記ベース体に取り付けるための棒状の装飾体取付具とを備え、
前記第１装飾体および前記第２装飾体は、
前記装飾体取付具が貫通する貫通部をそれぞれ有し、
前記装飾体取付具は、
前記第１装飾体および前記第２装飾体をそれぞれ貫通する長さに形成されるとともに前記ベース体に対して着脱自在に取り付けられることを特徴とする照明器具。
【請求項２】
請求項１に記載した照明器具において、
前記ベース体は、
前記光源体を着脱自在に保持することを特徴とする照明器具。
【請求項３】
請求項１または請求項２に記載した照明器具において、さらに、
前記装飾体取付具が貫通する筒状に形成されて前記第１装飾体または前記第２装飾体に隣接配置されるスペーススリーブ体を備えることを特徴とする照明器具。
【請求項４】
請求項１ないし請求項３のうちのいずれか１つに記載した照明器具において、さらに、
前記光源体の周囲を覆うことができる筒状に形成された光源カバー体を備えることを特徴とする照明器具。
【請求項５】
請求項１ないし請求項４のうちのいずれか１つに記載した照明器具において、
前記第１装飾体は、笠状に形成されており、
前記第２装飾体は、中央部に貫通孔を有して前記第１装飾体よりも小径の笠状に形成されていることを特徴とする照明器具。
【請求項６】
請求項５に記載した照明器具において、さらに、
前記第２装飾体の前記貫通孔内に配置される筒状の内側カバー体を備えることを特徴とする照明器具。
【発明の詳細な説明】
【技術分野】
【０００１】
本発明は、主として、室内灯、屋外灯または街灯として用いられる照明器具に関する。
【背景技術】
【０００２】
従来から、ユーザの好みによって外観意匠を変更することができる照明器具がある。例えば、下記特許文献１には、光源部の上方を笠状に覆う照明カバーを加熱によって変形させることができる樹脂材料で構成することによりユーザが好みの形状に形成することができる照明器具が開示されている。
【先行技術文献】
【特許文献】
【０００３】
【特許文献１】特開２０１０−１３５１１６号公報
【０００４】
しかしながら、上記特許文献１に記載された照明器具においては、外観意匠を変化させるためには熱源が必要であるため作業場所が限定されるとともに、熱を加えながらの変形作業自体が難しく好みの形状に成形することが困難であるという問題があった。
【発明の概要】
【０００５】
本発明は上記問題に対処するためなされたもので、その目的は、照明器具の設置場所において簡単に外観意匠を変更することができる照明器具を提供することにある。
【０００６】
上記目的を達成するため、本発明の特徴は、光源体を有するベース体と、光源体の周囲に配置される第１装飾体と、第１装飾体とは異なる形状に形成されて同第１装飾体の近傍に配置される第２装飾体と、第１装飾体および第２装飾体をベース体に取り付けるための棒状の装飾体取付具とを備え、第１装飾体および第２装飾体は、装飾体取付具が貫通する貫通部をそれぞれ有し、装飾体取付具は、第１装飾体および第２装飾体をそれぞれ貫通する長さに形成されるとともにベース体に対して着脱自在に取り付けられることにある。この場合、第１装飾体および第２装飾体の形状は、形、大きさおよび色のうちの少なくとも１つを意味するものである。
【０００７】
このように構成した本発明の特徴によれば、照明器具は、光源体の周囲に配置される第１装飾体および第２装飾体がこれらをそれぞれ貫通する装飾体取付具によってベース体に取り付けられるため、装飾体取付具上における第１装飾体および第２装飾体の配置を変えることにより照明器具の設置場所で簡単に外観意匠を変更することができる。また、照明器具は、第１装飾体および第２装飾体を取り外すことができるため、これらの清掃、損傷部品の交換などのメンテナンスを容易に行うことができる。
【０００８】
また、本発明の他の特徴は、前記照明器具において、ベース体は、光源体を着脱自在に保持することにある。
【０００９】
このように構成した本発明の他の特徴によれば、照明器具は、ベース体が光源体を着脱自在に保持するため、第１装飾体および第２装飾体の取り付けおよび取り外しの各作業が行い易くなる。
【００１０】
また、本発明の他の特徴は、前記照明器具において、さらに、装飾体取付具が貫通する筒状に形成されて第１装飾体または第２装飾体に隣接配置されるスペーススリーブ体を備えることにある。
【００１１】
このように構成した本発明の他の特徴によれば、照明器具は、装飾体取付具が貫通する筒状に形成されて第１装飾体または第２装飾体に隣接配置されるスペーススリーブ体を備えているため、第１装飾体と第２装飾体との間隔を含む第１装飾体および第２装飾体の取付位置をスペーススリーブ体の数や長さで調整することができ照明器具が採用できる外観意匠のバリエーションを増やすことができる。
【００１２】
また、本発明の他の特徴は、照明器具において、さらに、光源体の周囲を覆うことができる筒状に形成された光源カバー体を備えることにある。
【００１３】
このように構成した本発明の他の特徴によれば、照明器具は、光源体の周囲を覆うことができる筒状に形成された光源カバー体を備えているため、光源体自体の露出および光源体が発する光の広がりを抑えた外観意匠を形成できる。この場合、光源カバー体は、装飾体取付具を貫通させることができる挿通部を形成しておくことで光源カバー体を別途取り付けるための取付作業負担を軽減することができる。
【００１４】
また、本発明の他の特徴は、照明器具において、第１装飾体は、笠状に形成されており、第２装飾体は、中央部に貫通孔を有して第１装飾体よりも小径の笠状に形成されていることにある。
【００１５】
このように構成した本発明の他の特徴によれば、照明器具は、第１装飾体が笠状（または皿状）に形成されるとともに、第２装飾体が中央部に貫通孔を有して第１装飾体よりも小径の笠状（または皿状）に形成されているため、大小の笠状（または皿状）の第１装飾体および第２装飾体を適宜組み合わせて室内用から屋外用まで機能的かつ個性的な外観意匠を造り出すことができる。
【００１６】
また、本発明の他の特徴は、照明器具において、さらに、第２装飾体の前記貫通孔内に配置される筒状の内側カバー体を備えることにある。
【００１７】
このように構成した本発明の他の特徴によれば、照明器具は、第２装飾体の貫通孔内に配置される筒状の内側カバー体を備えているため、第２装飾体の内側に風雨が侵入することが防止されて照明器具の損傷および劣化を抑えることができる。
【図面の簡単な説明】
【００１８】
【図１】本発明の一実施形態に係る照明器具の外観構成の概略を示す正面図である。
【図２】図１に示す照明器具の内部構成の概略を示す一部切欠き正面図である。
【図３】図１に示す照明器具の使用状態を示す斜視図である。
【図４】図１に示す照明器具を構成する主要部品を示した分解正面図である。
【図５】図１に示した第１装飾体の底面図である。
【図６】図１に示した第２装飾体の底面図である。
【図７】図１に示した照明器具における各部品を組み替えた外観構成を示す一部切欠き正面図である。
【図８】本発明の変形例に係る照明器具の使用状態を示す斜視図である。
【図９】本発明の他の変形例に係る照明器具の使用状態を示す斜視図である。
【発明を実施するための形態】
【００１９】
以下、本発明に係る照明器具の一実施形態について図面を参照しながら説明する。図１は、本発明に係る照明器具１００の外観構成の概略を示す正面図である。図２は、図１に示す照明器具１００の内部構成の概略を示す一部切欠き正面図である。また、図３は、図１に示す照明器具１００の使用状態を示す斜視図である。また、図４は、図１に示す照明器具１００を構成する主要部品を示した分解正面図である。この照明器具１００は、室内や屋外（例えば、玄関）に設置されて周囲を照らす電気設備である。
【００２０】
（照明器具１００の構成）
この照明器具１００は、ベース体１０１を備えている。ベース体１０１は、光源体１０４を支持するための部品であり、金属製の板材を筒状に形成して構成されている。より具体的には、ベース体１０１は、一方（図示下方側）が開口するとともに他方（図示上方側）が略球面形に外径が窄んだ円筒状に形成されている。このベース体１０１には、開口部側に取付具支持部１０１ａおよびカバー保持部１０１ｂがそれぞれ形成されるとともに、反対側の前記外径が窄んだ側に壁面取付体１０２が設けられている。また、ベース体１０１の内部には、光源支持部１０３が設けられている。
【００２１】
取付具支持部１０１ａは、後述する装飾体取付具１０５が取り付けられる部分であり、ベース体１０１の開口部が径方向外側に向かってフランジ状に張り出して形成されている。この取付具支持部１０１ａには、周方向に等間隔に貫通孔（図示せず）が形成されており、この貫通孔に装飾体取付具１０５が貫通した状態で取り付けられている。カバー保持部１０１ｂは、後述する内側カバー体１１４を保持する部分であり、ベース体１０１の開口部の内側に環状に形成された溝によって構成されている。
【００２２】
壁面取付体１０２は、ベース体１０１、延いては照明器具１００を壁面に取り付けるための部品であり、主として取付部１０２ａと管状部１０２ｂとで構成されている。取付部１０２ａは、照明器具１００を支持する壁面に取り付けられる部分であり、図示しない取付用の金具を備えている。また、管状部１０２ｂは、取付部１０２ａとベース体１０１とを繋ぐ部分であり、Ｌ字状に屈曲した金属製の管状体で構成されている。
【００２３】
光源支持部１０３は、光源体１０４を着脱自在に保持して光源体１０４に電気を導く部品であり、陶磁器製のソケットで構成されている。この光源支持部１０３は、ベース体１０１内に固定的に設けられている。また、この光源支持部１０３には、光源支持部１０３に電気を導くための電気コード１０３ａが電気的に接続されている。この電気コード１０３ａは、壁面取付体１０２を貫通して取付部１０２ａから露出している。すなわち、光源支持部１０３は、照明器具１００が取り付けられる壁面を介して図示しない外部電源（例えば、家庭用電源）から電気コード１０３ａを通じて電気の供給を受ける。
【００２４】
光源体１０４は、光を発する部品であり、電気エネルギを光エネルギに変換する器具によって構成されている。この光源体１０４は、例えば、電球、蛍光灯またはＬＥＤ発光素子（Light Emitting Diode：発光ダイオード）などによって構成することができる。本実施形態においては、光源体１０４は、電球によって構成されている。
【００２５】
装飾体取付具１０５は、後述する第１装飾体１１１、第２装飾体１１２および光源カバー体１１３をそれぞれベース体１０１に着脱自在に取り付けるための金属製の部品であり、互いにネジ嵌合し合うボルト１０５ａとナット１０５ｂとで構成されている。この場合、ボルト１０５ａは、第１装飾体１１１および第２装飾体１１２をそれぞれスペーススリーブ体１０６を介して貫通して更にベース体１０１の取付具支持部１０１ａを貫通する長さに形成されている。本実施形態においては、装飾体取付具１０５は、それぞれ３つずつのボルト１０５ａおよびナット１０５ｂで構成されている。なお、図１〜図４においては、２つの装飾体取付具１０５を示している。また、図２においては、装飾体取付具１０５およびスペーススリーブ体１０６の取付状態を示すため、１つの装飾体取付具１０５および３つのスペーススリーブ体１０６をそれぞれ二点鎖線で示している。
【００２６】
スペーススリーブ体１０６は、第１装飾体１１１と第２装飾体１１２、および複数の第２装飾体１１２同士を互いに離隔して配置するための部品であり、装飾体取付具１０５のボルト１０５ａが貫通可能な樹脂製の筒体で構成されている。このスペーススリーブ体１０６の長さは、第１装飾体１１１と第２装飾体１１２と、および複数の第２装飾体１１２同士の配置間隔に応じて適宜設定される。本実施形態においては、スペーススリーブ体１０６は、１つの装飾体取付具１０５に対して３つそれぞれ設けられている。
【００２７】
第１装飾体１１１は、光源体１０４の周囲に配置されて光源体１０４から発する光の照射方向を規制したり照明器具１００を装飾したりするための部品であり、金属材を光源体１０４の上方を覆う大きさの笠状に形成して構成されている。この第１装飾体１１１には、図５に示すように、中央部に光源支持部１０３が貫通可能な貫通孔１１１ａが形成されるとともに、この貫通孔１１１ａの周囲に３つの装飾体取付具１０５のボルト１０５ａがそれぞれ貫通可能な３つの挿通部１１１ｂがそれぞれ形成されている。
【００２８】
第２装飾体１１２は、第１装飾体１１１の周囲に配置されて光源体１０４から発する光の照射方向を規制したり照明器具１００を装飾したりするための部品であり、第１装飾体１１１とは異なる形状に形成されている。この場合、第２装飾体１１２の第１装飾体１１１とは異なる形状とは、第１装飾体１１１を構成する形状、大きさおよび色のうちの少なくとも１つが異なることをいう。本実施形態においては、第２装飾体１１２は、金属材を第１装飾体１１１よりも小さな笠状に形成で第１装飾体１１１と同じ金属色で構成されている。
【００２９】
この第２装飾体１１２には、図６に示すように、中央部に光源支持部１０３が貫通可能な貫通孔１１２ａが形成されるとともに、この貫通孔１１２ａの周囲に３つの装飾体取付具１０５のボルト１０５ａがそれぞれ貫通可能な３つの挿通部１１２ｂがそれぞれ形成されている。また、第２装飾体１１２は、本実施形態においては、３つ設けられている。
【００３０】
光源カバー体１１３は、光源体１０４の周囲に配置されて光源体１０４の周囲を覆う部品であり、金属材を光源体１０４の周囲を覆うことができる大きさの筒状に形成して構成されている。この場合、光源カバー体１１３は、一方（図示上側）の端部が径方向内側に屈曲した後平面状に延びて形成されており、この平面状に延びた部分の中央部に光源支持部１０３および３つの装飾体取付具１０５のボルト１０５ａがそれぞれ貫通可能な内径の貫通孔１１３ａが形成されている。
【００３１】
この光源カバー体１１３は、前記貫通孔１１３ａの周囲が３つのビス１１３ｂによって第１装飾体１１１の裏面に取り付けられている。一方、光源カバー体１１３における他方（図示下側）の端部側は、図示下方に向かって広がった釣鐘状に形成されている。
【００３２】
内側カバー体１１４は、３つの第２装飾体１１２の各内側に配置されて第２装飾体１１２の内側への風雨の侵入を防止するための部品であり、樹脂製の透明な筒体で構成されている。この内側カバー体１１４は、光源支持部１０３が貫通可能な内径でかつ貫通孔１１２ａよりも小さい外径に形成されている。また、内側カバー体１１４は、上下方向に重ねて配置される３つの第２装飾体１１２の各内側にそれぞれ配置可能な長さに形成されている。
【００３３】
（照明器具１００の組み立て）
次に、上記のように構成した照明器具１００の組み立て方法について説明する。まず、作業者は、３つの装飾体取付具１０５、１つの第１装飾体１１１、１つの内側カバー体１１４、９つのスペーススリーブ体１０６および３つの第２装飾体１１２をそれぞれ用意する。次に、作業者は、３つの装飾体取付具１０５をそれぞれ第１装飾体１１１、内側カバー体１１４および３つの第２装飾体１１２にこの順番でそれぞれ貫通させる。
【００３４】
この場合、作業者は、第１装飾体１１１および第２装飾体１１２の各３つずつの挿通部１１１ｂ，１１２ｂにそれぞれ１つずつのボルト１０５ａを貫通させる。また、この場合、作業者は、第１装飾体１１１と第２装飾体１１２の間、および３つの第２装飾体１１２の間にそれぞれスペーススリーブ体１０６を配置してボルト１０５ａを貫通させる。これにより、３つのボルト１０５ａは、第１装飾体１１１、内側カバー体１１４、スペーススリーブ体１０６および３つの第２装飾体１１２を貫通してこれらを保持した状態となる。
【００３５】
次に、作業者は、ベース体１０１を用意して第１装飾体１１１、内側カバー体１１４、スペーススリーブ体１０６および３つの第２装飾体１１２を組付ける。具体的には、作業者は、第１装飾体１１１、内側カバー体１１４、スペーススリーブ体１０６および３つの第２装飾体１１２を貫通した状態の３つのボルト１０５ａの先端部をベース体１０１の取付具支持部１０１ａにそれぞれ貫通させてそれぞれナット１０５ｂを締め付ける。
【００３６】
これにより、光源カバー体１１３、第１装飾体１１１、内側カバー体１１４、スペーススリーブ体１０６および３つの第２装飾体１１２がベース体１０１に取り付けられる。この場合、内側カバー体１１４は、一方（図示上側）の端部がベース体１０１におけるカバー保持部１０１ｂに挿し込まれた状態で他方（図示下側）の端部が第１装飾体１１１の上面に載置された状態で保持される。
【００３７】
次に、作業者は、１つの光源カバー体１１３および３つのビス１１３ｂをそれぞれ用意する。そして、作業者は、光源カバー体１１３を３つのビス１１３ｂによって第１装飾体１１１の下面に取り付ける。
【００３８】
次に、作業者は、光源体１０４を用意してベース体１０１の光源支持部１０３に取り付ける。これにより、照明器具１００が完成する。そして、作業者は、この完成した照明器具１００を壁面取付体１０２を介して所望する壁面に取り付ける。この場合、作業者は、照明器具１００における電気コード１０３ａを図示しない外部電源（例えば、家庭用電源）に電気的に接続する。これにより、照明器具１００は、設置が完了し使用可能な状態となる。
【００３９】
（照明器具１００の作動）
次に、上記のように構成した照明器具１００の作動について説明する。照明器具１００の使用者は、壁面などに設けられたスイッチ（図示せず）を操作することにより照明器具１００に電気を供給する。これにより、照明器具１００は、光源体１０４が点灯して周囲を照らす。
【００４０】
この場合、照明器具１００は、光源体１０４から照射された光の大部分が直接または第１装飾体１１１の反射により周囲に照射されるとともに、残余の一部が３つの第２装飾体１１２の各隙間から周囲に照射される。また、照明器具１００は、内側カバー体１１４によって第２装飾体１１２の内側、すなわち、光源支持部１０３と光源体１０４との接続部分に水分または空気の流れによる異物の付着が防止される。一方、使用者は、壁面などに設けられたスイッチ（図示せず）を操作することにより照明器具１００への電気の供給を中断することにより、光源体１０４を消灯させることができる。
【００４１】
また、使用者は、照明器具１００の外観デザインを変更することができる。具体的には、使用者は、照明器具１００が壁面に取り付けられた状態で、または照明器具１００を壁面から取り外した状態で光源支持部１０３から光源体１０４を取り外した後、ビス１１３ｂを取り外すことにより光源カバー体１１３を第１装飾体１１１から取り外す。次に、作業者は、装飾体取付具１０５のボルト１０５ａからナット１０５ｂを取り外してボルト１０５ａをベース体１０１から取り外す。
【００４２】
次に、使用者は、ボルト１０５ａから第２装飾体１１２、スペーススリーブ体１０６、内側カバー体１１４および第１装飾体１１１を順番に引き抜く。これにより、照明器具１００は、各部品が互いに分離した状態（前記組立前の状態）となる。したがって、使用者は、第１装飾体１１１、内側カバー体１１４、スペーススリーブ体１０６および第２装飾体１１２を所望する配置でボルト１０５ａを貫通させてベース１１０に取り付けることで照明器具１００の外観意匠を変更することができる。
【００４３】
この場合、使用者は、光源カバー体１１３、第１装飾体１１１、内側カバー体１１４、スペーススリーブ体１０６および第２装飾体１１２のうちの第１装飾体１１１および１つの第２装飾体１１２を用いればよく、その他の部品は必ずしも用いる必要はない。したがって、例えば、図７に示すように、３つの第２装飾体１１２、９つのスペーススリーブ体１０６および第１装飾体１１１に３つのボルト１０５ａをそれぞれ貫通させてベース体１０１に取り付けることができる。
【００４４】
すなわち、図７に示す照明器具１００は、光源カバー体１１３および内側カバー体１１４を省略して構成している。これにより、使用者は、種々の外観意匠の照明器具１００を楽しむことができる。なお、使用者は、第１装飾体１１１または第２装飾体１１２などの各構成部品の天地を逆さまにするなど、向きを変えて使用することもできる。また、図７においては、装飾体取付具１０５およびスペーススリーブ体１０６の取付状態を示すため、１つの装飾体取付具１０５および３つのスペーススリーブ体１０６をそれぞれ二点鎖線で示している。
【００４５】
上記作動説明からも理解できるように、上記実施形態によれば、照明器具１００は、光源体１０４の周囲に配置される第１装飾体１１１および第２装飾体１１２がこれらをそれぞれ貫通する装飾体取付具１０５によってベース体１０１に取り付けられるため、装飾体取付具１０５上における第１装飾体１１１および第２装飾体１１２の配置を変えることにより照明器具１００の設置場所で簡単に外観意匠を変更することができる。また、照明器具１００は、第１装飾体１１１および第２装飾体１１２を取り外すことができるため、これらの清掃、損傷部品の交換などのメンテナンスを容易に行うことができる。
【００４６】
さらに、本発明の実施にあたっては、上記実施形態に限定されるものではなく、本発明の目的を逸脱しない限りにおいて種々の変更が可能である。なお、以下で説明する各変形例においては、上記実施形態と同様の構成部分に同じ符号を付して説明は適宜省略する。
【００４７】
例えば、上記実施形態においては、第１装飾体１１１および第２装飾体１１２を笠状（または皿状）に形成した。しかし、第１装飾体１１１は、光源体１０４の周囲に配置可能な形状であればよく、必ずしも上記実施形態に限定されるものではない。また、第２装飾体１１２についても第１装飾体１１１の近傍に配置されて第１装飾体とことなる形状に形成されていればよく、必ずしも上記実施形態に限定されるものではない。したがって、第１装飾体１１１および第２装飾体１１２を笠状（または皿状）以外の形状、平面的な板状や箱状に形成することもできる。
【００４８】
また、上記実施形態においては、照明器具１００は、１つの第１装飾体１１１および３つの第２装飾体１１２を備えて構成した。しかし、第１装飾体１１１および第２装飾体１１２の数は、必ずしも上記実施形態に限定されるものではない。したがって、照明器具１００は、２以上の第１装飾体１１１を備えてもよいし、２つ以下または４つ以上の第２装飾体１１２を備えて構成することもできる。
【００４９】
また、上記実施形態においては、装飾体取付具１０５を３組のボルト１０５ａとナット１０５ｂとで構成した。しかし、装飾体取付具１０５は、第１装飾体１１１および第２装飾体１１２をそれぞれ貫通してベース体１０１に取り付けることができれば、必ずしも上記実施形態に限定されるものではない。したがて、例えば、装飾体取付具１０５は、第１装飾体１１１および第２装飾体１１２をそれぞれ貫通する棒体と、この棒体の先端部をベース体１０１の取付具支持部１０１ａ上に磁気的に吸着する磁石で構成することもできる。また、装飾体取付具１０５の数も少なくとも１つ以上であればよい。
【００５０】
また、上記実施形態においては、挿通部１１１ｂ，１１２ｂを貫通孔で構成した。しかし、挿通部１１１ｂ，１１２ｂは、装飾体取付具１０５を貫通させることができるように構成されていればよい。したがって、挿通部１１１ｂ，１１２ｂは、例えば、第１装飾体１１１および第２装飾体１１２の一部を切り欠いた切欠きで構成することもできる。
【００５１】
また、上記実施形態においては、光源体１０４は、光源支持部１０３に対して着脱自在に構成した。これにより、照明器具１００は、同種のまたは異種の光源体１０４を好みに応じて取り替えることができる。しかし、光源体１０４は、光源支持部１０３に対して着脱不能に一体的に設けられているものであってもよい。
【００５２】
また、上記実施形態においては、照明器具１００は、９つのスペーススリーブ体１０６を用いて第１装飾体１１１と第２装飾体１１２との間に隙間を設けるとともに、３つの第２装飾体１１２間に隙間を設けて構成した。しかし、照明器具１００は、スペーススリーブ体１０６を省略して構成することができるとともに、８つ以下または１０個以上のスペーススリーブ体１０６を備えて構成することもできる。
【００５３】
また、上記実施形態においては、ベース体１０１、第１装飾体１１１、第２装飾体１１２および光源カバー体１１３を不透明な金属材で構成するとともに、内側カバー体１１４を透明な樹脂材で構成した。しかし、ベース体１０１、第１装飾体１１１、第２装飾体１１２および光源カバー体１１３および内側カバー体１１４は、使用者の好みに応じた各種材料で構成することができる。したがって、ベース体１０１、第１装飾体１１１、第２装飾体１１２および光源カバー体１１３および内側カバー体１１４は、例えば、金属材、セラミック材、ガラス材、樹脂材および紙材を単体でまたはこれらを適宜組み合わせて構成することができる。この場合、ベース体１０１、第１装飾体１１１、第２装飾体１１２および光源カバー体１１３および内側カバー体１１４は、透明な材料または不透明な材料で構成することができるとともに、一部に貫通孔などを設けて構成することもできる。
【００５４】
また、上記実施形態においては、光源カバー体１１３は、第１装飾体１１１にビス１１３ｂによって取り付けるように構成した。しかし、光源カバー体１１３は、第２装飾体１１２に取り付けるように構成してもよい。また、光源カバー体１１３は、挿通部１１１ｂ，１１２ｂに相当する貫通孔または切り欠きを備えることにより装飾体取付具１０５によって第１装飾体１１１および第２装飾体１１２と一体的にベース体１０１に取り付けることもできる。
【００５５】
また、上記実施形態においては、照明器具１００は、壁面取付体１０２を備えて壁面に取り付ける壁付けタイプで構成した。しかし、照明器具１００は、壁付けタイプ以外で構成することもきる。例えば、照明器具１００は、図８に示すように、電気コード１０３ａを長く伸ばして室内の天井からの吊下げタイプに構成することができる。なお、図８に示す照明器具１００においては、光源カバー体１１３を備えていない。
【００５６】
また、照明器具１００は、例えば、図９に示すように、床面上から立ち上がるスタンド１２０上にベース体１０１を取り付けたスタンドタイプに構成することもできる。この場合、図９に示す照明器具１００においては、ベース体１０１に光源カバー体１１３が載せた状態で配置されている。また、この照明器具１００においては、内側カバー体１１４を省略して構成している。また、これらの場合、照明器具１００は、外部電源から電気の供給を受けてもよいが、ベース体１０１内に電池などのバッテリーを備えた独立電源型で構成することもできる。
【符号の説明】
【００５７】
１００…照明器具、
１０１…ベース体、１０１ａ…取付具支持部、１０１ｂ…カバー保持部、１０２…壁面取付体、１０２ａ…取付部、１０２ｂ…管状部、１０３…光源支持部、１０４…光源体、１０５…装飾体取付具、１０５ａ…ボルト、１０５ｂ…ナット、１０６…スペーススリーブ体、
１１１…第１装飾体、１１１ａ…貫通孔、１１１ｂ…挿通部、１１２…第２装飾体、１１１２ａ…貫通孔、１１２ｂ…挿通部、１１３…光源カバー体、１１４…内側カバー体、１２０…スタンド。
【図１】
2017224506.tif 000003
【図２】
2017224506.tif 000004
【図３】
2017224506.tif 000005
【図４】
2017224506.tif 000006
【図５】
2017224506.tif 000007
【図６】
2017224506.tif 000008
【図７】
2017224506.tif 000009
【図８】
2017224506.tif 000010
【図９】
2017224506.tif 000011